(57)【要約】【課題】簡単な構造で内刃に上下振動を発生させて、従来よりも効果的にひげを切断することができる電気かみそりを提供する。【解決手段】通電により異なる磁極を交互に形成する電磁石１３を有する磁極形成部９と、磁極形成部９が形成した磁極に対して、吸引、反発する永久磁石１６を備え磁極形成部９に対して相対的に往復動する磁性ブロック１０と、磁性ブロック１０の往復動方向の両側部に一側がそれぞれ連結され他側が基台１８にそれぞれ連結されて磁性ブロック１０を往復動自在に支持する弾性支持部１１とからなるアクチュエータ７が組み込まれ、アクチュエータ７の磁性ブロック１０に組み付けられた駆動子８の往復運動で、駆動子８に振動自在に支持された内刃６が往復駆動される電気かみそり１であって、弾性支持部１１の磁性ブロック１０の両側部の一側間の長さと、基台１８に連結された他側間の長さを異ならせた。【選択図】図１
2012065974.tif 000002
【特許請求の範囲】
【請求項１】
通電により異なる磁極を交互に形成する電磁石を有する磁極形成部と、
この磁極形成部に対向して設けられて前記磁極形成部が形成した磁極に対して、吸引、反発する磁性体を備え前記磁極形成部に対して相対的に往復動する磁性ブロックと、
前記磁性ブロックの往復動方向の両側部に一側がそれぞれ連結され他側が基台にそれぞれ連結されて前記磁性ブロックを往復動自在に支持する弾性支持部とからなるアクチュエータが組み込まれ、該アクチュエータの前記磁性ブロックに組み付けられた駆動子の往復運動で、該駆動子に振動自在に支持された内刃が往復駆動される電気かみそりであって、
前記弾性支持部の前記磁性ブロックの両側部の一側間の長さと、前記基台に連結された他側間の長さを異ならせたことを特徴とする電気かみそり。
【請求項２】
請求項１に記載の電気かみそりであって、
前記一側間の長さを他側間の長さより長くしたことを特徴とする電気かみそり。
【請求項３】
請求項１又は請求項２に記載の電気かみそりであって、
前記弾性支持部は、板状に形成され、前記磁性ブロックの一側と前記基台の一側との長さ寸法は前記磁性ブロックの往復振動時に同一であることを特徴とする電気かみそり。
【請求項４】
請求項１から請求項３のいずれか一項に記載の電気かみそりであって、
ヘッド本体部と、このヘッド本体部内に組み込まれるアクチュエータと、このアクチュエータの前記磁性ブロックに連結された駆動子に摺動自在に組み付けられて駆動される内刃と、ヘッド本体部の外周に組み付けられて押圧状態で接触する内刃とでひげを切断する外刃とを備えてなるヘッド部と、このヘッド部に組み付けられたグリップ部とからなることを特徴とする電気かみそり。
【発明の詳細な説明】
【技術分野】
【０００１】
本発明は、アクチュエータを用いた電気かみそりに関する。
【背景技術】
【０００２】
従来、電気かみそり等に用いられるアクチュエータとして、例えば、特開２００５−３５４８７９号公報（特許文献１）に記載されたアクチュエータが提案されている。このようなアクチュエータは、電気かみそりに用いられた際にひげを切断するための刃を駆動する。
【０００３】
図７は、従来のアクチュエータを用いた電気かみそりのヘッド部を示す図である。図７に示すように、電気かみそりのヘッド部５１は、外刃（図示省略）と協働してひげを切断する内刃５２と、内刃５２を駆動するアクチュエータ５３と、アクチュエータ５３と内刃５２とを連結する駆動子５４とから略構成されている。
【０００４】
アクチュエータ５３は、図７に示すように、電磁石５５を有する磁極形成部５６と、磁極形成部５６に所定の隙間を介して対向して設けられた磁性ブロック５７と、磁性ブロック５７を支持する弾性支持部５８とを備えている。
【０００５】
磁極形成部５６は、磁性材料の焼結体や磁性材料の鉄板を積層した電磁コアブロック５９と、電線よりなる巻線６０と、から構成される電磁石５５により異なる磁極を交互に形成する。
【０００６】
磁性ブロック５７は、電磁石５５の磁石面と対向する側に設けられた永久磁石６１と、永久磁石６１の上面側（内刃６側）に設けられたバックヨーク６２とを備えている。
【０００７】
弾性支持部５８は、磁性ブロック５７の往復動方向（図７においてＡ方向）の両側部に一側がそれぞれ連結され、他側がヘッド部５１の基台６３にそれぞれ連結されている。
【０００８】
磁極形成部５６と磁性ブロック５７との間には隙間Ｘが形成され、弾性支持部５８は、磁極形成部５６に対して相対的に往復運動する磁性ブロック５７を往復動自在に支持する。
【０００９】
そして、アクチュエータ５３を駆動させると、駆動子５４に連結された内刃５２が外刃（図示省略）の下面側を往復振動（往復運動）することにより、外刃の刃穴内（図示省略）に挿入されたひげを切断する。
【先行技術文献】
【特許文献】
【００１０】
【特許文献１】特開２００５−３５４８７９号公報
【発明の概要】
【発明が解決しようとする課題】
【００１１】
しかしながら、上述した従来の電気かみそりでは、図７に示すように、弾性支持部５８と磁性ブロック５７との連結部６４Ａと連結部６４Ａ´との間の長さと、弾性支持部５８と基台６３との連結部６４Ｂと連結部６４Ｂ´との間の長さが略等しく設定されている。このため、内刃５２の往復振動時に内刃５２の上下振動を発生しにくく、ひげを効果的に切断することが困難であるという問題が生じる。
【００１２】
また、内刃５２の上下振動を発生させるために、モータ等の別の機構を設けると、部品点数も増加し、構造も複雑になる。
【００１３】
そこで、本発明はこのような従来の課題を解決するためになされたものであり、その目的とするところは、簡単な構造で内刃に上下振動を発生させて、従来よりも効果的にひげを切断することができる電気かみそりを提供することにある。
【課題を解決するための手段】
【００１４】
本発明にあっては、通電により異なる磁極を交互に形成する電磁石を有する磁極形成部と、この磁極形成部に対向して設けられて前記磁極形成部が形成した磁極に対して、吸引、反発する磁性体を備え前記磁極形成部に対して相対的に往復動する磁性ブロックと、前記磁性ブロックの往復動方向の両側部に一側がそれぞれ連結され他側が基台にそれぞれ連結されて前記磁性ブロックを往復動自在に支持する弾性支持部とからなるアクチュエータが組み込まれ、該アクチュエータの前記磁性ブロックに組み付けられた駆動子の往復運動で、該駆動子に振動自在に支持された内刃が往復駆動される電気かみそりであって、前記弾性支持部の前記磁性ブロックの両側部の一側間の長さと、前記基台に連結された他側間の長さを異ならせたことを主要な特徴とする。
【発明の効果】
【００１５】
本発明によれば、弾性支持部の磁性ブロックの両側部の一側間の長さと、基台に連結された他側間の長さを異ならせたため、電気かみそりの刃が往復振動している際に上下振動も発生させることでひげをより短く切断することができる。また、上下振動を発生させるための別の機構が不要となる。従って、簡単な構造で従来よりも効果的にひげを切断することができる電気かみそりを提供することができる。
【図面の簡単な説明】
【００１６】
【図１】本発明の第１実施形態に係る電気かみそりのヘッド部を示す断面図である。
【図２】本発明の第１実施形態に係る電気かみそりの磁性ブロックの移動を示す断面図である。
【図３】本発明の第１実施形態に係る電気かみそりを示す断面図である。
【図４】本発明の第２実施形態に係る電気かみそりのヘッド部を示す断面図である。
【図５】本発明の第２実施形態に係る電気かみそりの磁性ブロックの移動を示す断面図である。
【図６】本発明の第２実施形態に係る電気かみそりを示す断面図である。
【図７】従来の電気かみそりのヘッド部を示す断面図である。
【発明を実施するための形態】
【００１７】
以下、本発明の実施形態について図面を参照して説明する。はじめに、図１から図３を参照して、本発明の第１実施形態に係る電気かみそりについて説明する。図１は、本発明の第１実施形態に係る電気かみそりのヘッド部を示す断面図である。図２は、本発明の第１実施形態に係る電気かみそりの磁性ブロックの移動を示す断面図である。図３は、本発明の第１実施形態に係る電気かみそりを示す断面図である。
【００１８】
本発明の第１実施形態に係る電気かみそり１は、図１から図３に示すように、ひげを切断するための刃（後述する内刃６）を備えるヘッド部２と、ヘッド部２に組み付けられたグリップ部３とから略構成されている。
【００１９】
ヘッド部２は、図３に示すように、グリップ部３に支持されたヘッド本体部４と、ヘッド本体部４の外周に組み付けられる外刃５と、外刃５の内方（外刃５の下側）に配設された内刃６と、内刃６を駆動するアクチュエータ７と、アクチュエータ７と内刃６とを連結する駆動子８（図１参照）とを備えている。
【００２０】
グリップ部３は、合成樹脂製で成形されており、ひげを剃る際にグリップ部３を手で把持してアクチュエータ７（図１参照）の駆動をオン・オフするスイッチ（図示省略）等を備えている。
【００２１】
外刃５と内刃６は、協働してひげを切断する。具体的には、アクチュエータ７によって駆動する内刃６を外刃５に対して相対的に移動させることで、外刃５の刃穴内（図示省略）に挿入されたひげを外刃５と内刃６とで協働して切断する。
【００２２】
アクチュエータ７は、図１に示すように、磁極形成部９と、磁性ブロック１０と、弾性支持部１１とを備えている。磁性ブロック１０には、駆動子８を介して内刃６が揺動自在に組み付けられている。詳細については後述する。
【００２３】
駆動子８は、図１に示すように、一側が内刃６に連結され、他方が磁性ブロック１０に連結されている。この内刃６は、駆動子８に対して上下振動が可能で、周方向のいずれかの場所で傾斜可能に連結されている。
【００２４】
このため、アクチュエータ７を駆動させると、磁性ブロック１０が移動することにより、駆動子８に連結された内刃６が外刃５の下面側を押圧状態で摺動しつつ移動（振動）する。
【００２５】
次に、図１を参照して、本発明の第１実施形態に係る電気かみそり１のアクチュエータ７について詳細に説明する。
【００２６】
アクチュエータ７は、図１に示すように、通電により異なる磁極を交互に形成する電磁石１３を有する磁極形成部９と、磁極形成部９に対向して設けられた磁性ブロック１０と、磁性ブロック１０を往復動自在に支持する弾性支持部１１とを備えている。
【００２７】
磁極形成部９は、磁性材料の焼結体や磁性材料の鉄板を積層した電磁コアブロック１４と、電線よりなる巻線１５とからなる電磁石１３により構成されている。この電磁石１３により異なる磁極を形成して永久磁石（磁性体）１６を吸引、反発する。
【００２８】
磁性ブロック１０は、電磁石１３の磁石面と対向する側（グリップ部３側）に設けられた永久磁石１６と、永久磁石１６の上面側（内刃６側）に設けられたバックヨーク１７とを備えている。
【００２９】
磁極形成部９と磁性ブロック１０との間には隙間Ｙが形成されているため、磁性ブロック１０は磁極形成部５６に対して相対的に往復運動することができる。
【００３０】
永久磁石（磁性体）１６は、磁極形成部９の電磁石１３が形成した磁極に対して、吸引、反発するため、電磁石１３の磁極を交互にすることで、磁性ブロック１０は磁極形成部９に対して相対的に往復運動する。
【００３１】
バックヨーク１７は、磁性材料から構成され、内部に磁気回路（図示省略）が形成されている。バックヨーク１７には永久磁石１６が接着されている。
【００３２】
弾性支持部１１は、磁性ブロック１０の往復動方向（図１のＢ方向；内刃６、外刃５の長手方向）の両側部に一側がそれぞれ連結され、他側がヘッド本体部４の基台１８にそれぞれ連結されている。
【００３３】
また、弾性支持部１１は、平板状に形成され、所定の弾性を備えた部材（磁性ブロック１０が磁極形成部９に対して相対的に往復運動できる程度の弾性を備えた部材）で構成されており、磁極形成部９に対して相対的に往復運動する磁性ブロック１０を往復動自在に支持する。
【００３４】
さらに、本発明の第１実施形態に係る弾性支持部１１は、磁性ブロック１０の両側部の一側間の長さを、基台１８に連結された他側間の長さより長くなるように構成している。
【００３５】
つまり、弾性支持部１１と磁性ブロック１０との連結部１９Ａと連結部１９Ａ´との間の長さより、弾性支持部１１と基台１８との連結部１９Ｂと連結部１９Ｂ´との長さの方が長く設定している。
【００３６】
また、弾性支持部１１の長さ、つまり、連結部１９Ａと連結部１９Ｂとの間と、連結部１９Ａ´と連結部１９Ｂ´との間の長さは同じ長さに設定されている。
【００３７】
このため、磁性ブロック１０が往復動方向（図１のＢ方向；内刃６、外刃５の長手方向）に移動することにより駆動子８に連結された内刃６が往復振動している際、内刃６の上下振動も発生させることができ、ひげを短く切断することができる。
【００３８】
次に、図２を参照して、本発明の第１実施形態に係る電気かみそり１の内刃６の上下振動について説明する。図２（ａ）は、本発明の第１実施形態に係る電気かみそりの極性ブロックが左側へ移動した場合を示す断面図である。図２（ｂ）は、本発明の第１実施形態に係る電気かみそりの極性ブロックが中央へ移動した場合を示す断面図である。図２（ｃ）は、本発明の第１実施形態に係る電気かみそりの極性ブロックが右側へ移動した場合を示す断面図である。
【００３９】
図２に示すように、連結部１９Ａと連結部１９Ａ´との間の長さを、連結部１９Ｂと連結部１９Ｂ´との間の長さより長く設定し、連結部１９Ａと連結部１９Ｂとの間と、連結部１９Ａ´と連結部１９Ｂ´との間の長さを同じ長さに設定し、弾性支持部１１が板状に形成されているため、アクチュエータ７の駆動により磁性ブロック１０が上下方向（駆動子８側又は磁極形成部９側）にも移動する。
【００４０】
図２（ａ）に示すように、磁性ブロック１０が左側（連結部１９Ａ及び連結部１９Ｂ側）に移動すると、連結部１９Ａは下側（磁極形成部９側）に移動し、連結部１９Ａ´は上側（駆動子８側）に移動する。この移動により、内刃６は基台１８に対して所定角度傾斜する。
【００４１】
図２（ｂ）に示すように、磁性ブロック１０が電気かみそり１の中央に移動すると、連結部１９Ａと連結部１９Ａ´との位置は平行になる。このため、内刃６は基台１８に対して平行になる。
【００４２】
図２（ｃ）に示すように、磁性ブロック１０が左側（連結部１９Ａ及び連結部１９Ｂ側）に移動すると、連結部１９Ａは上側（駆動子８側）に移動し、連結部１９Ａ´は下側（磁極形成部９側）に移動する。この移動により、内刃６は基台１８に対して所定角度傾斜する。
【００４３】
図２に示すように、連結部１９Ａと連結部１９Ａ´との間の長さより、連結部１９Ｂと連結部１９Ｂ´との間の長さの方が長く設定している。このため、磁性ブロック１０が弧状に移動（上下に移動）すると、磁性ブロック１０に連結した内刃６も同様に弧状に移動（弧状振動）する。従って、内刃６が外刃５（図３参照）を押圧する圧力を変化させることができる。
【００４４】
なお、内刃６の移動状態を示す図２では、内刃６が左右位置で傾斜しているが、このアクチュエータ７が電気かみそり１のヘッド部２に、つまり、外刃５の内側に組み付けられた状態では、内刃６は傾斜することはなく、外刃５の内面側へ接触しており、内刃６は駆動子８に対して摺動している。
【００４５】
そして、内刃６は、図２（ｂ）に示すときに外刃５の内側を最大に押圧し、左右位置でのその押圧力が小さくなる。つまり、内刃２は、磁性ブロック１０の往復動によって上下にかつ弧状に振動する。
【００４６】
従って、ひげを剃る際、内刃６の往復振動時に上下振動（弧状振動）を発生させることにより、肌を振動させて、肌に潜り込んでいるひげを押し出すことができる。このため、肌からひげを押し出して剃ることにより効果的にひげを短くすることができる。
【００４７】
そして、上記のように構成されたアクチュエータ７を図３に示す電気かみそり１のヘッド本体部４内に組み込み、アクチュエータ７の磁性ブロック１０に組み付けられた駆動子８の往復運動で、駆動子８に支持された内刃６が往復運動（往復振動）して外刃５とでひげを切断する。
【００４８】
また、連結部１９Ａと連結部１９Ａ´との間の長さより、連結部１９Ｂと連結部１９Ｂ´との間の長さの方が長く設定し、連結部１９Ａと連結部１９Ｂとの間と、連結部１９Ａ´と連結部１９Ｂ´との間の長さを同じ長さに設定し、弾性支持部１１が板状に形成されている（図２参照）。磁性ブロック１０が弧状に移動すると駆動子８も弧状に移動し、内刃６は外刃５の内側に接触した状態で移動（弧状振動）するため、図３に示す刃面２０が縦振動（図３の矢印Ｚ方向に振動）する。
【００４９】
従来の電気かみそりでは、刃面２０を縦振動させるために、別の手段や別のモータ等で縦振動を発生させる必要があったが、構成部品点数が多く、構成部品を管理する工程が増えて製造コストが高くなるという問題が発生する。
【００５０】
しかしながら、本発明の第１実施形態では、簡単な構造（連結部１９Ａと連結部１９Ａ´との間の長さより、連結部１９Ｂと連結部１９Ｂ´との間の長さの方が長く設定した構造）で縦振動を発生させることができるため、構成部品点数及び構成部品の重量が少なく、製造コストの低減を図ることができる。
【００５１】
次に、図４を参照して、本発明の第２実施形態に係る電気かみそりについて説明する。図４は、本発明の第２実施形態に係る電気かみそりのヘッド部を示す断面図である。図５は、本発明の第２実施形態に係る電気かみそりの磁性ブロックの移動を示す断面図である。図６は、本発明の第２実施形態に係る電気かみそりを示す断面図である。
【００５２】
なお、第２実施形態に係る電気かみそりは、本発明の第１実施形態に係る電気かみそり１と略同様の構成等を有するため、同様の構成に関しては、説明を省略するものとする。また、第１実施形態に係る電気かみそり１と同様の構成要素には同一の符号を付して説明する。
【００５３】
本発明の第２実施形態に係る電気かみそり３１は、図５から図６に示すように、ひげを切断するための刃（後述する内刃３６）を備えるヘッド部３２と、ヘッド部３２に組み付けられたグリップ部３とから略構成されている。
【００５４】
ヘッド部３２は、図６に示すように、グリップ部３に支持されたヘッド本体部４と、ヘッド本体部４の外周に組み付けられる外刃３５と、外刃３５の内方（外刃３５の下側）に配設された内刃３６と、内刃３６を駆動するアクチュエータ７と、アクチュエータ７と内刃６とを連結する駆動子８（図４参照）とを備えている。
【００５５】
グリップ部３は、合成樹脂製で成形されており、ひげを剃る際にグリップ部３を手で把持してアクチュエータ７（図１参照）の駆動をオン・オフするスイッチ（図示省略）等を備えている。
【００５６】
外刃３５と内刃３６は、協働してひげを切断する。具体的には、アクチュエータ７によって駆動する内刃３６を外刃３５に対して相対的に移動させることで、外刃３５の刃穴内（図示省略）に挿入されたひげを外刃３５と内刃３６とで協働して切断する。
【００５７】
また、本発明の第２実施形態に係る外刃３５及び内刃３６は、肌に密着する面が電気かみそり３１を正面視した場合に弧状（Ｒ形状）に形成されている。
【００５８】
アクチュエータ７は、図４に示すように、通電により異なる磁極を交互に形成する電磁石１３を有する磁極形成部９と、磁極形成部９に対向して設けられた磁性ブロック１０と、磁性ブロック１０を往復動自在に支持する弾性支持部１１とを備えている。磁性ブロック１０には、駆動子８を介して内刃３６が揺動自在に組み付けられている。
【００５９】
駆動子８は、図４に示すように、一側が内刃３６に連結され、他方が磁性ブロック１０に連結されている。この内刃３６は、駆動子８に対して上下振動が可能で、周方向のいずれかの場所で傾斜可能に連結されている。
【００６０】
このため、アクチュエータ７を駆動させると、磁性ブロック１０が移動することにより、駆動子８に連結された内刃３６が外刃３５の下面側を押圧状態で摺動しつつ移動（振動）する。
【００６１】
次に、図５を参照して、本発明の第２実施形態に係る電気かみそり３１の内刃３６の上下振動について説明する。図５（ａ）は、本発明の第２実施形態に係る電気かみそりの極性部ブロックが左側へ移動した場合を示す断面図である。図５（ｂ）は、本発明の第２実施形態に係る電気かみそりの極性部ブロックが中央へ移動した場合を示す断面図である。図５（ｃ）は、本発明の第２実施形態に係る電気かみそりの極性部ブロックが右側へ移動した場合を示す断面図である。
【００６２】
図５に示すように、連結部１９Ａと連結部１９Ａ´との間の長さを、連結部１９Ｂと連結部１９Ｂ´との間の長さより長く設定し、連結部１９Ａと連結部１９Ｂとの間と、連結部１９Ａ´と連結部１９Ｂ´との間の長さを同じ長さに設定し、弾性支持部１１が板状に形成されているため、アクチュエータ７の駆動により磁性ブロック１０が上下方向（駆動子８側又は磁極形成部９側）にも移動する。
【００６３】
図５（ａ）に示すように、磁性ブロック１０が左側（連結部１９Ａ及び連結部１９Ｂ側）に移動すると、連結部１９Ａは下側（磁極形成部９側）に移動し、連結部１９Ａ´は上側（駆動子８側）に移動する。この移動により、内刃３６は基台１８に対して所定角度傾斜する。
【００６４】
図５（ｂ）に示すように、磁性ブロック１０が電気かみそり３１の中央に移動すると、連結部１９Ａと連結部１９Ａ´との位置は平行になる。このため、内刃３６は基台１８に対して平行になる。
【００６５】
図５（ｃ）に示すように、磁性ブロック１０が左側（連結部１９Ａ及び連結部１９Ｂ側）に移動すると、連結部１９Ａは上側（駆動子８側）に移動し、連結部１９Ａ´は下側（磁極形成部９側）に移動する。この移動により、内刃３６は基台１８に対して所定角度傾斜する。
【００６６】
図５に示すように、連結部１９Ａと連結部１９Ａ´との間の長さより、連結部１９Ｂと連結部１９Ｂ´との間の長さの方が長く設定している。このため、磁性ブロック１０が弧状に移動（上下に移動）すると、磁性ブロック１０に連結した内刃３６も同様に弧状に移動（弧状振動）する。従って、内刃３６が外刃３５（図６参照）を押圧する圧力を変化させることができる。
【００６７】
なお、内刃３６の移動状態を示す図２では、内刃３６が左右位置で傾斜しているが、このアクチュエータ７が電気かみそり１のヘッド部３２に、つまり、外刃３５の内側に組み付けられた状態では、内刃３６は傾斜することはなく、外刃３５の内面側へ接触しており、内刃３６は駆動子８に対して摺動している。
【００６８】
そして、内刃３６は、図５（ｂ）に示すときに外刃３５の内側を最大に押圧し、左右位置でのその押圧力が小さくなる。つまり、内刃３２は、磁性ブロック１０の往復動によって上下にかつ弧状に振動する。
【００６９】
従って、ひげを剃る際、内刃３６の往復振動時に上下振動（弧状振動）を発生させることにより、肌を振動させて、肌に潜り込んでいるひげを押し出すことができる。このため、肌からひげを押し出して剃ることにより効果的にひげを短くすることができる。
【００７０】
また、本発明の第２実施形態に係る電気かみそり３１の外刃３５及び内刃３６は、肌に密着する面が電気かみそり３１を正面視した場合に弧状（Ｒ形状）で構成されている。このため、弧状に移動（弧状振動）の弧状（Ｒ形状）と内刃３６及び外刃３５の弧状（Ｒ形状）を略同一にすることで内刃３６と外刃３５の密着力が略一定となり、安定した駆動を得ることができる。
【００７１】
そして、上記のように構成されたアクチュエータ７を図３に示す電気かみそり１のヘッド本体部４内に組み込み、アクチュエータ７の磁性ブロック１０に組み付けられた駆動子８の往復運動で、駆動子８に支持された内刃３６が往復運動（往復振動）して外刃３５とでひげを切断する。
【００７２】
また、連結部１９Ａと連結部１９Ａ´との間の長さより、連結部１９Ｂと連結部１９Ｂ´との間の長さの方が長く設定しているため（図２参照）、磁性ブロック１０が弧状に移動すると駆動子８も弧状に移動し、内刃３６も同様に弧状に移動（弧状振動）する。
【００７３】
このようにして、本発明の実施形態に係る電気かみそり１、３１は、通電により異なる磁極を交互に形成する電磁石１３を有する磁極形成部９と、この磁極形成部９に対向して設けられて磁極形成部９が形成した磁極に対して、吸引、反発する永久磁石（磁性体）１６を備え磁極形成部９に対して相対的に往復動する磁性ブロック１０と、磁性ブロック１０の往復動方向の両側部に一側がそれぞれ連結され他側が基台１８にそれぞれ連結されて磁性ブロック１０を往復動自在に支持する弾性支持部１１とからなるアクチュエータ７が組み込まれ、アクチュエータ７の磁性ブロック１０に組み付けられた駆動子８の往復運動で、駆動子８に振動自在に支持された内刃６、３６が往復駆動される電気かみそり１、３１であって、弾性支持部１１の磁性ブロック１０の両側部の一側間の長さと、基台１８に連結された他側間の長さを異ならせた。
【００７４】
また、本発明の実施形態に係る電気かみそり１、３１は、弾性支持部１１の磁性ブロック１０の両側部の一側間（連結部１９Ａと連結部Ａ´との間）の長さを、基台１８に連結された他側間（連結部１９Ｂと連結部１９Ｂ´との間）の長さより長くした。
【００７５】
さらに、本発明の実施形態に係る電気かみそり１、３１は、弾性支持部１１は、板状に形成され、磁性ブロック１０の一側と基台１８の一側との長さ寸法（連結部１９Ａと連結部１９Ｂとの間と、連結部１９Ａ´と連結部１９Ｂ´との間の長さ寸法）は磁性ブロック１０の往復振動時に同一である。
【００７６】
また、本発明の実施形態に係る電気かみそり１、３１は、ヘッド本体部４と、このヘッド本体部４内に組み込まれるアクチュエータ７と、このアクチュエータ７の磁性ブロック１０に連結された駆動子８に摺動自在に組み付けられて駆動される内刃６と、ヘッド本体部４の外周に組み付けられて押圧状態で接触する内刃６とでひげを切断する外刃５とを備えてなるヘッド部２、３２と、このヘッド部２、３２に組み付けられたグリップ部３とからなる。
【００７７】
そして、本発明の実施形態に係る電気かみそり１、３１によれば、磁性ブロック１０の両側部の一側間（連結部１９Ａと連結部１９Ａ´間）の長さと、基台１８に連結された他側間（連結部１９Ｂと連結部１９Ｂ´間）の長さを異なる構成とした。このため、磁性ブロック１０が往復動方向（複数の外刃５が並設される方向）に移動することにより駆動子８に連結された内刃６、３６が往復振動している際、内刃６、３６の上下振動も発生させることができ、ひげを短く切断することができる。
【００７８】
従って、簡単な構造で内刃に上下振動を発生させて、従来よりも効果的にひげを切断することができる電気かみそり１、３１を提供することができる。
【００７９】
また、本発明の実施形態に係る電気かみそり１、３１によれば、連結部１９Ａと連結部１９Ａ´との間の長さより、連結部１９Ｂと連結部１９Ｂ´との間の長さの方が長く設定している。このため、磁性ブロック１０が弧状に移動（上下に移動）すると、磁性ブロック１０に連結した内刃６、３６も同様に弧状に移動（弧状振動）する。従って、内刃６、３６が外刃５、３５を押圧する圧力を変化させることができる。
【００８０】
つまり、ひげを剃る際、内刃６、３６の往復振動時に上下振動（弧状振動）を発生させることにより、肌を振動させて、肌に潜り込んでいるひげを押し出すことができる。このため、肌からひげを押し出して剃ることにより効果的にひげを短くすることができる。
【００８１】
また、従来の電気かみそりでは、刃面２０を縦振動させるために、別の手段や別のモータ等で縦振動を発生させる必要があったが、構成部品点数が多く、構成部品を管理する工程が増えて製造コストが高くなるという問題が発生する。
【００８２】
しかしながら、本発明の実施形態に係る電気かみそり１、３１によれば、簡単な構造（連結部１９Ａと連結部１９Ａ´との間の長さより、連結部１９Ｂと連結部１９Ｂ´との間の長さの方が長く設定した構造）で縦振動を発生させることができるため、構成部品点数及び構成部品の重量が少なく、製造コストの低減を図ることができる。
【００８３】
また、本発明の実施形態に係る電気かみそり３１によれば、外刃３５及び内刃３６は、肌に密着する面が電気かみそり３１を正面視した場合に弧状（Ｒ形状）で構成されている。このため、弧状に移動（弧状振動）の弧状（Ｒ形状）と内刃３６及び外刃３５の弧状（Ｒ形状）を略同一にすることで内刃３６と外刃３５の密着力が略一定となり、安定した駆動を得ることができる。
【００８４】
以上、本発明の電気かみそりを図示の実施形態に基づいて説明したが、本発明はこれに限定されるものではなく、各部の構成は、同様の機能を有する任意の構成のものに置き換えることができる。
【００８５】
例えば、上述した本発明の実施形態では、弾性支持部１１の磁性ブロック１０の両側部の一側間（連結部１９Ａと連結部Ａ´との間）の長さを、基台１８に連結された他側間（連結部１９Ｂと連結部１９Ｂ´との間）の長さより長く設定した場合について説明したが、連結部１９Ａと連結部Ａ´との間の長さを、連結部１９Ｂと連結部１９Ｂ´との間の長さより短く設定してもよい。
【００８６】
また、上記各実施形態では、磁極形成部９を固定側、磁性ブロック１０を可動側（磁性ブロック１０が磁極形成部９に対して相対的に往復運動する）として説明したが、磁極形成部９を可動側、磁性ブロック１０を固定側としても良く、磁極形成部９、磁性ブロック１０の双方が可動するように構成しても良い。
【００８７】
さらに、上記各実施形態では、弾性支持部１１が磁性ブロック１０と一体形成された例を説明したが、弾性支持部１１を磁性ブロック１０と別体に形成し、磁性ブロック１０に対してねじ等により固定しても良い。
【００８８】
また、上記各実施形態では、磁性ブロック１０が基台１８上に固定されている例を示したが、磁性ブロック１０は基台１８に対してばね部材を介して固定しても良い。
【００８９】
さらに、上記各実施形態において、振動型リニアアクチュエータを電気かみそりのかみそり刃を駆動するアクチュエータとして用いた場合、駆動子８を介して内刃６を往復動しても良く、複数の駆動子の一つで外刃５を往復動させても良い。
【産業上の利用可能性】
【００９０】
本発明は、簡単な構造で内刃に上下振動を発生させて、従来よりも効果的にひげを切断することができる電気かみそりを提供する上で極めて有用である。
【符号の説明】
【００９１】
１      電気かみそり（第１実施形態）
２      ヘッド部（第１実施形態）
３      グリップ部
４      ヘッド本体部
５      外刃
６      内刃
７      アクチュエータ（第１実施形態）
８      駆動子
９      磁極形成部
１０    磁性ブロック
１１    弾性支持部
１３    電磁石
１４    電磁コアブロック
１５    巻線
１６    永久磁石
１７    バックヨーク
１９    連結部
２０    刃面
３１    電気かみそり（第２実施形態）
３２    ヘッド部（第２実施形態）
３５    外刃（第２実施形態）
３６    内刃（第２実施形態）
【図１】
2012065974.tif 000003
【図２】
2012065974.tif 000004
【図３】
2012065974.tif 000005
【図４】
2012065974.tif 000006
【図５】
2012065974.tif 000007
【図６】
2012065974.tif 000008
【図７】
2012065974.tif 000009